(57)【要約】【課題】多チャンネルＡＶアンプに簡単な切換回路と遅延回路を追加することにより、２チャンネルステレオ再生時にはバイアンプ再生の高音質駆動の最適化を低価格で実現する。【解決手段】簡単なスイッチＳ１〜Ｓ１８で構成された切換回路と遅延回路３ａ及び３ｂとをＡＶアンプ本体に追加するとともに、自動音場補正用マイクシステムを流用してスピーカー補正を行う構成としたことにより、多チャンネル再生用の増幅器を２チャンネルステレオ再生時に有効に用いて、２チャンネルステレオ再生時の音質改善を図ることができる。【選択図】図１
2009027631.tif 000002
【特許請求の範囲】
【請求項１】
多チャンネル再生モードと２チャンネルステレオ再生モードとを選択的に切換可能なＡＶアンプであって、
第１の信号源の信号のレベルを補正可能な第１及び第２のゲイン補正手段と、
前記第１のゲイン補正手段で補正された信号を遅延可能な遅延手段と、
前記遅延手段で遅延された信号を増幅し第１のスピーカの高域端子に出力する第１の増幅手段と、
前記第２のゲイン補正手段で補正された信号を増幅し前記第１のスピーカの低域端子に出力する第２の増幅手段と、
多チャンネル再生モードの時は、前記第１の信号源の信号を前記第１の増幅手段で増幅して前記第１のスピーカの高域及び低域端子に出力し、前記第２の信号源の信号を前記第２の増幅手段で増幅して前記第２のスピーカの高域及び低域端子に出力し、２チャンネルステレオ再生の時は、前記第１の信号源の信号を前記第１のゲイン補正手段と前記遅延手段を介して前記第１の増幅手段で増幅して前記第１のスピーカの高域端子に出力すると共に、前記第１の信号源の信号を前記第２のゲイン補正手段を介して前記第２の増幅手段で増幅して前記第１のスピーカの低域端子に出力するよう切り換えるスイッチと、
前記第１及び第２のゲイン補正手段、前記遅延手段、および前記スイッチの動作を制御する制御手段と、
前記第１のスピーカまたは前記第２のスピーカの高域端子または低域端子から出力される信号を検出する検出手段とを備え、
前記制御手段は、
前記検出手段で検出された信号に基づき、前記第１のスピーカの第１の高域端子より再生される第１の出力レベルと前記第１のスピーカの第２の低域端子より再生される第２の出力レベルとの試聴位置におけるレベルが等しくなるように前記ゲイン補正手段においてレベルを補正させるとともに、
入力信号発生から出力信号再生までの時間が等しくなるように、前記遅延手段における遅延量を補正する、ＡＶアンプ。
【請求項２】
テスト信号を送出するテスト信号発信部と、
スピーカから再生出力される音声を収音するマイク回路とをさらに備えた、請求項１に記載のＡＶアンプ。
【発明の詳細な説明】
【技術分野】
【０００１】
本発明は、多チャンネル再生及び２チャンネルステレオ再生ができるＡＶアンプやレシーバなどの音響装置に有用なバイアンプ補正装置に関する。また、バイアンプ補正装置を備えたＡＶアンプに関する。
【背景技術】
【０００２】
従来、多チャンネルＡＶアンプとしてのサラウンド方式としては、ドルビーサラウンド方式が知られている。ドルビーサラウンド方式は、フロント側に３チャンネル、リア側に１チャンネルの構成である。サラウンドプロセッサ回路は、入力される左右２チャンネルのステレオ音声信号Ｌ，Ｒをもとに、内部ロジックによりフロントスピーカー用の左右音声ＦＬ、ＦＲ（ステレオ）、リアスピーカー用の左右音声ＲＬ、ＲＲ（モノラル）、センタースピーカー用の音声Ｃの合成５つの音声を生成して出力する。上記５つの音声信号は、それぞれの出力回路毎に設けたパワーアンプにより増幅された後、スピーカーターミナルを通じて各スピーカに送られ、それぞれのスピーカーから音声が出力される。これにより、入力される２チャンネルのステレオ音声信号からドルビーサラウンド再生を行うことができる。
【０００３】
また、図５は、従来のＡＶアンプの他の構成例を示す。入力端子１０１ａに入力されるＬｃｈ音声信号と、入力端子１０１ｂに入力されるＲｃｈ音声信号とは、プロロジックデコード部１０２に入力される。プロロジックデコード部１０２は、入力される２ｃｈの音声信号に基づき、信号処理によってＬｃｈ、Ｒｃｈ、Ｃｃｈ、Ｓｃｈの４ｃｈの音声信号を生成する。Ｌｃｈの音声信号は、アンプ１０３ａで増幅されて、Ｌｃｈスピーカー１０４の高域入力端子ＨＦと低域入力端子ＬＦに入力される。Ｒｃｈの音声信号は、アンプ１０３ｃで増幅されて、Ｒｃｈスピーカー１０５の高域入力端子ＨＦと低域入力端子ＬＦに入力される。Ｃｃｈの音声信号は、アンプ１０３ｂで増幅されて、Ｃｃｈスピーカー１０６に入力される。Ｓｃｈの音声信号は、アンプ１０３ｄで増幅されて、Ｓｃｈスピーカー１０７に入力される。これにより、各スピーカーからは、サラウンド再生に対応した音声が出力される。
【特許文献１】特開平１０−３１３２２３号公報
【発明の開示】
【発明が解決しようとする課題】
【０００４】
しかしながら上記のような従来構成の場合、２チャンネルステレオ再生時は、アンプ１０３ａ及び１０３ｃしか動作させないため、アンプ１０３ｂ及び１０３ｄが何ら２チャンネル再生時の音質向上に寄与できないという問題点を有していた。
【０００５】
本発明の目的は、多チャンネルＡＶアンプに簡単な切換回路と遅延回路を追加することにより、２チャンネルステレオ再生時にはバイアンプ再生の高音質駆動の最適化を低価格で実現することである。
【課題を解決するための手段】
【０００６】
本発明のＡＶアンプは、多チャンネル再生モードと２チャンネルステレオ再生モードとを選択的に切換可能なＡＶアンプであって、第１の信号源の信号のレベルを補正可能な第１及び第２のゲイン補正手段と、前記第１のゲイン補正手段で補正された信号を遅延可能な第１の遅延手段と、前記第１の遅延手段で遅延された信号を増幅し第１のスピーカの高域端子に出力する第１の増幅手段と、前記第２のゲイン補正手段で補正された信号を増幅し前記第１のスピーカの低域端子に出力する第２の増幅手段と、多チャンネル再生モードの時は、前記第１の信号源の信号を前記第１の増幅手段で増幅して前記第１のスピーカの高域及び低域端子に出力し、前記第２の信号源の信号を前記第２の増幅手段で増幅して前記第２のスピーカの高域及び低域端子に出力し、２チャンネルステレオ再生の時は、前記第１の信号源の信号を前記第１のゲイン補正手段と前記第１の遅延手段を介して前記第１の増幅手段で増幅して前記第１のスピーカの高域端子に出力すると共に、前記第１の信号源の信号を前記第２のゲイン補正手段を介して前記第２の増幅手段で増幅して前記第１のスピーカの低域端子に出力するよう切り換えるスイッチと、前記第１及び第２のゲイン補正手段、前記第１の遅延手段、および前記スイッチの動作を制御する制御手段と、前記第１のスピーカまたは前記第２のスピーカの高域端子または低域端子から出力される信号を検出する検出手段とを備え、前記制御手段は、前記検出手段で検出された信号に基づき、前記第１のスピーカの第１の高域端子より再生される第１の出力レベルと前記第１のスピーカの第２の低域端子より再生される第２の出力レベルとの試聴位置におけるレベルが等しくなるように前記ゲイン補正手段においてレベルを補正させるとともに、入力信号発生から出力信号再生までの時間が等しくなるように、前記第１の遅延手段における遅延量を補正するものである。
【０００７】
このように本発明は、バイアンプ再生時のレベルと位相を最適に補正することにより、更なる２チャンネルステレオ高音質再生を可能とするものである。
【発明の効果】
【０００８】
本発明は、２チャンネルステレオ再生時のバイアンプ切換の最適化を、簡単な構成で普及価格帯の多チャンネル再生用のＡＶアンプで実現させることができるようにしたため、従来のＡＶアンプでは困難とされていた大幅な音質改善を２チャンネルステレオ再生時に低コストで実現させるという利点がある。
【発明を実施するための最良の形態】
【０００９】
本発明は、テスト信号を送出するテスト信号発信部と、スピーカから再生出力される音声を収音するマイク回路とをさらに備えた構成とすることができる。このように構成することで、簡単な構成で、２チャンネルステレオ再生時の音質を改善することができる。
【００１０】
（実施の形態）
〔１．ＡＶアンプの構成及び再生動作〕
図１は、実施の形態のバイアンプ補正装置のブロック図である。図１において、入力端子１ａ〜１ｄには、ドルビーサラウンドでデコードされた音声信号が入力される端子である。入力端子１ａにはＬｃｈの音声信号が入力され、入力端子１ｂにはＲｃｈの音声信号が入力され、入力端子１ｃにはＣｃｈの音声信号が入力され、入力端子に１ｄにはＳｃｈの音声信号が入力される。
【００１１】
ゲイン補正回路２ａ〜２ｄは、ＣＰＵ１１からの制御により、入力される音声信号のゲインを補正する。ゲイン補正回路２ａは、スイッチＳ１５を介して入力端子１ａに接続され、Ｌｃｈの音声信号のゲインを補正する。ゲイン補正回路２ｂは、スイッチＳ１７を介して入力されるテスト信号のゲインを補正する。ゲイン補正回路２ｃは、スイッチＳ１６を介して入力端子１ｂに接続され、Ｒｃｈの音声信号のゲインを補正する。ゲイン補正回路２ｄは、スイッチＳ１８を介して入力されるテスト信号のゲインを補正する。なお、ゲイン補正回路２ａ及び２ｃは、第１のゲイン補正手段の一例である。ゲイン補正回路２ｂ及び２ｄは、第２のゲイン補正手段の一例である。
【００１２】
遅延回路３ａは、ＣＰＵ１１からの制御により、ゲイン補正回路２ａから出力される音声信号の位相を遅延させる。遅延回路３ｂは、ＣＰＵ１１からの制御により、ゲイン補正回路２ｃから出力される音声信号の位相を遅延させる。なお、遅延回路３ａ及び３ｂは、遅延手段の一例である。
【００１３】
増幅器４ａは、入力がスイッチＳ１１及びＳ１２に接続されている。また、出力は、Ｌｃｈスピーカー５の高域端子（以下ＨＦ端子と称す）に接続されているとともに、スイッチＳ１を介してＬｃｈスピーカー５の低域端子（以下ＬＦ端子と称す）に接続されている。増幅器４ｂは、入力がスイッチＳ５及びＳ２に接続されている。また、出力は、スイッチＳ３を介してＬｃｈスピーカー５のＬＦ端子に接続されているとともに、スイッチＳ４を介してＣｃｈスピーカー７に接続されている。増幅器４ｃは、入力がスイッチＳ１３及びＳ１４に接続されている。また、出力は、Ｒｃｈスピーカー６のＨＦ端子に接続されているとともに、スイッチＳ６を介してＲｃｈスピーカー６のＬＦ端子に接続されている。増幅器４ｄは、入力がスイッチＳ１０及びＳ７に接続されている。また、出力は、スイッチＳ８を介してＲｃｈスピーカー６のＬＦ端子に接続されているとともに、スイッチＳ９を介してＳｃｈスピーカー８に接続されている。なお、増幅器４ａ及び４ｃは、第１の増幅手段の一例である。増幅器４ｂ及び４ｄは、第２の増幅手段の一例である。
【００１４】
Ｌｃｈスピーカー５（第１のスピーカー）及びＲｃｈスピーカー６（第２のスピーカー）は、一般にそれぞれ聴取者の聴取位置に対して前方左右に配置される。また、Ｃｃｈスピーカー７（センタースピーカー）は、聴取位置に対して前方中央に配置される。また、Ｓｃｈスピーカー８（サラウンドスピーカー）は、聴取位置に対して後方に配置される。
【００１５】
テスト信号発生器９は、各スピーカーのレベル及び遅延時間を測定及び調整する際に、テスト信号を発生するものである。本実施の形態では、スピーカーのレベル測定を行う際は連続的な正弦波（純粋音）の信号を出力し、スピーカーの遅延時間を測定する際はインパルス音声（瞬間音）の信号を出力する。
【００１６】
マイクロホン１０は、スピーカーのテストを行う際に聴取位置に配置し、各スピーカーから出力される音声を収音するものである。収音した音声は、音声信号としてＣＰＵ１１に伝送される。マイクロホン１０は、検出手段の一例である。
【００１７】
ＣＰＵ１１は、マイクロホン１０から出力される音声信号を解析して、ゲイン補正回路２ａ〜２ｄ、遅延回路３ａ及び３ｂの動作を制御する。また、ＣＰＵ１１は、キー操作部１２が使用者によって操作されることで、スイッチＳ１〜Ｓ１８のオン／オフの切り換えを制御する。具体的な各部の動作制御については後述する。
【００１８】
第１ないし第１８のスイッチであるスイッチＳ１ないしＳ１８は、連動スイッチで構成され、ＣＰＵ１１からの制御により同時にオンまたはオフになるように構成されている。
【００１９】
キー操作部１２は、２チャネルステレオ再生モードか４チャネル再生モードかを選択することができる。また、キー操作部１２は、ＡＶアンプの操作パネルに設けられるか、もしくはリモコン入力信号にて、ユーザーによって操作される。
【００２０】
ＲＯＭ１３は、ＣＰＵ１１のための動作プログラムを格納している。ＣＰＵ１０１は、この動作プログラムに従って動作する。
【００２１】
ＲＡＭ１４は、ＣＰＵ１１がプログラム動作を行うときに発生する種々の作業データを記憶するワーキングメモリとして機能する。なお、ＣＰＵ１１、あるいはＣＰＵ１１とＲＯＭ１３とＲＡＭ１４は、制御手段の一例である。
【００２２】
以上のように構成されたバイアンプ補正回路について、以下その動作を説明する。
【００２３】
まず、本実施の形態のＡＶアンプを、ホームシアター再生機器として一般的である多チャンネル対応ＡＶアンプとして用いる場合の動作について説明する。
【００２４】
使用者がキー操作部１２を操作して、ＡＶアンプの一機能である「多チャンネル再生」を選択し、映画等の多チャンネルエンコードされた音声が収録された記録媒体を再生すると、デコーダ（不図示）でＬｃｈ、Ｒｃｈ、Ｃｃｈ、Ｓｃｈの４つの信号に分離され、それぞれ入力端子１ａ〜１ｄに入力される。この時、ＣＰＵ１１は、各スイッチを（表１）に示すように切り換える。
【００２５】
【表１】
2009027631.tif 000003
【００２６】
すなわち、多チャンネル再生時は、スイッチＳ１，Ｓ２，Ｓ４，Ｓ６，Ｓ７，Ｓ９，Ｓ１１，Ｓ１３，Ｓ１５，Ｓ１６をオンにし、スイッチＳ３，Ｓ５，Ｓ８，Ｓ１０，Ｓ１２，Ｓ１４，Ｓ１７，Ｓ１８をオフにするよう制御する。
【００２７】
入力端子１ａに入力されるＬｃｈ音声信号は、スイッチＳ１５及びＳ１１が閉じ、スイッチＳ５，Ｓ１２，Ｓ１７が開いているので、増幅器４ａに入力されて増幅される。増幅器４ａから出力される音声信号は、スイッチＳ１が閉じ、スイッチＳ３が開いているため、Ｌｃｈスピーカー５のＨＦ端子とＬＦ端子とに印加される。Ｌｃｈスピーカー５は、入力される音声信号に基づく音声を、ノーマルモードで再生出力する。
【００２８】
また、入力端子１ｂに入力されるＲｃｈ音声信号は、スイッチＳ１６及びＳ１３が閉じ、スイッチＳ１０，Ｓ１４，Ｓ１８が開いているので、増幅器４ｃに入力されて増幅される。増幅器４ｃから出力される音声信号は、スイッチＳ６が閉じ、スイッチＳ８が開いているため、Ｒｃｈスピーカー６のＨＦ端子とＬＦ端子に印加される。Ｒｃｈスピーカー６は、入力される音声信号に基づく音声を、ノーマルモードで再生出力する。
【００２９】
また、入力端子１ｃに入力されるＣｃｈ音声信号は、スイッチＳ２が閉じられているので、増幅器４ｂに入力されて増幅される。増幅器４ｂから出力される音声信号は、スイッチＳ３が開きかつスイッチＳ４が閉じているので、Ｃｃｈスピーカー７に入力される。Ｃｃｈスピーカー７は、入力される音声信号に基づく音声を再生出力する。
【００３０】
また、入力端子１ｄに入力されるＳｃｈ音声信号は、スイッチＳ７が閉じられているので、増幅器４ｄに入力されて増幅される。増幅器４ｄから出力される音声信号は、スイッチＳ８が開きかつスイッチＳ９が閉じているので、Ｓｃｈスピーカー８に入力される。Ｓｃｈスピーカー８は、入力される音声信号に基づく音声を再生出力する。
【００３１】
なお、遅延回路３ａ及び３ｂは、スイッチＳ５，Ｓ１０，Ｓ１２，Ｓ１４は開いているため、動作していない。
【００３２】
次に、通常のステレオ再生（２ｃｈ）の場合の動作について説明する。
【００３３】
２ｃｈのステレオ音声は、Ｌｃｈ音声信号とＲｃｈ音声信号のみで構成されている。使用者によってキー操作部１２が操作されて、ＡＶアンプが備える機能のうち「２チャンネルステレオ再生」が選択された場合、ＣＰＵ１１は、（表１）に示すようにスイッチＳ３，Ｓ５，Ｓ８，Ｓ１０，Ｓ１２，Ｓ１４，Ｓ１５，Ｓ１６を閉じ、スイッチＳ１，Ｓ２，Ｓ４，Ｓ６，Ｓ７，Ｓ９，Ｓ１１，Ｓ１３，Ｓ１７，Ｓ１８を開くように制御する。
【００３４】
これにより、入力端子１ａに入力されるＬｃｈ音声信号は、スイッチＳ１５及びＳ１２が閉じ、スイッチＳ１１が開いているため、スイッチＳ１５、ゲイン補正回路２ａ、遅延回路３ａ、およびスイッチＳ１２を通って、増幅器４ａに入力されて増幅される。増幅器４ａから出力される音声信号は、スイッチＳ１が開いているため、Ｌｃｈ用スピーカー５のＨＦ端子へ入力される。また、入力端子１ａに入力されるＬｃｈ音声信号は、スイッチＳ５が閉じているため、スイッチＳ１５、ゲイン補正回路２ｂ、およびスイッチＳ５を通って、増幅器４ｂに入力されて増幅される。増幅器４ｂから出力される音声信号は、スイッチＳ３が閉じ、スイッチＳ４が開いているため、スイッチＳ３を通ってＬｃｈスピーカー５のＬＦ端子へ入力される。これにより、Ｌｃｈスピーカー５は、入力される音声信号に基づく音声をバイアンプ再生することとなる。
【００３５】
一方、入力端子１ｂに入力されるＲｃｈ音声信号は、スイッチＳ１６及びＳ１４が閉じ、スイッチＳ１３が開いているため、スイッチＳ１６、ゲイン補正回路２ｃ、遅延回路３ｂ、およびスイッチＳ１４を通って、増幅器４ｃに入力されて増幅される。増幅器４ｃから出力される音声信号は、スイッチＳ６が開いているため、Ｒｃｈ用スピーカー６のＨＦ端子へ入力される。また、入力端子１ｂに入力されるＲｃｈ音声信号は、スイッチＳ１０が閉じているため、スイッチＳ１６、ゲイン補正回路２ｄ、およびスイッチＳ１０を通って、増幅器４ｄに入力されて増幅される。増幅器４ｄから出力される音声信号は、スイッチＳ８が閉じ、スイッチＳ９が開いているため、スイッチＳ８を通ってＲｃｈスピーカー６のＬＦ端子へ入力される。これにより、Ｒｃｈスピーカー６は、入力される音声信号に基づく音声をバイアンプ再生することとなる。
【００３６】
バイアンプ再生とは、入力される音声信号を高域と低域とに分けて増幅器を通し、独立して低域スピーカーと高域スピーカーとに音声信号を入力し、各スピーカーで音声を再生する再生方式のことである。このように再生することで、低域スピーカーの振動板における余分な振動が原因で発生するノイズ成分が高域側に流れ込むのを防止することができ、音の純度が高い、高音質な音声を再生することができる。
【００３７】
〔２．スピーカーのテスト動作〕
図２に示すように、スピーカーボックス２１に固定されている高域スピーカー２２と低域スピーカー２３とは、その振動板の構造により、実際に各スピーカーから出力された音声が聴取位置に到達するまでの時間及びレベルに差がある。通常は、高域スピーカー２２は振動板が小さいため、音声が出力されてから聴取位置に到達するまでの時間ｔ１は、低域スピーカー２３の到達時間ｔ２に比べて短くなる。また、出力される音声のレベルは、高域スピーカー２２と低域スピーカー２３とでばらつく。本実施の形態のＡＶアンプは、このような高域スピーカー２２と低域スピーカー２３との時間差及びレベル差を補正する機能を備えている。以下、その補正動作について説明する。
【００３８】
使用者によってキー操作部１２が操作されて、ＡＶアンプが備える機能のうち「スピーカーテスト」が選択された場合、ＣＰＵ１１は、（表１）に示すようにスイッチＳ３，Ｓ５，Ｓ８，Ｓ１０，Ｓ１２，Ｓ１４，Ｓ１７，Ｓ１８を閉じ、スイッチＳ１，Ｓ２，Ｓ４，Ｓ６，Ｓ７，Ｓ９，Ｓ１１，Ｓ１３，Ｓ１５，Ｓ１６を開くように制御する。これにより、テスト信号発生器９から出力されるテスト信号は、スイッチＳ１７、レベル補正回路２ａ、遅延回路３ａ、スイッチＳ１２、増幅器４ａを介してＬｃｈスピーカー５のＨＦ端子へ入力可能な状態になるとともに、レベル補正回路２ｂ、スイッチＳ５、増幅器４ｂ、スイッチＳ３を介してＬｃｈスピーカー５のＬＦ端子へ入力可能な状態になる。また、テスト信号発生部９から出力されるテスト信号は、スイッチＳ１８、レベル補正回路２ｃ、遅延回路３ｂ、スイッチＳ１４、増幅器４ｃを介してＲｃｈスピーカー６のＨＦ端子へ入力可能な状態になるとともに、レベル補正回路２ｄ、スイッチＳ１０、増幅器４ｄ、スイッチＳ８を介してＲｃｈスピーカー６のＬＦ端子へ入力可能な状態になる。この状態で、スピーカーテストを開始することができる。
【００３９】
〔２−１．レベル補正〕
図３は、スピーカーのレベル測定および補正の方法を示す。本実施の形態では、Ｌｃｈスピーカー５の高域スピーカー、低域スピーカー、Ｒｃｈスピーカー６の高域スピーカー、低域スピーカーの順でレベル測定を行うものとする。
【００４０】
スピーカーテストが開始されると、テスト信号発生器９は、レベル測定用のテスト信号として正弦波の連続的な純粋音を出力する（Ｓ１０１）。
【００４１】
Ｌｃｈスピーカー５の高域スピーカーのレベルの測定を行うためには、各スイッチを（表１）に示す状態から一時的にスイッチＳ３を開き、テスト信号がＬｃｈスピーカー５のＨＦ端子のみに入力されるようにする。テスト信号発生器９から出力されるテスト信号は、Ｌｃｈスピーカー５のＨＦ端子に入力され、高域スピーカーから音声が出力される。Ｌｃｈスピーカー５から出力される音声は、聴取位置に配置されているマイクロホン１０で収音される。マイクロホン１０で収音された音声は、音声信号としてＣＰＵ１１に送られる。ＣＰＵ１１は、入力される高域の音声信号のレベルを測定する（Ｓ１０２）。
【００４２】
次に、Ｌｃｈスピーカー５の低域スピーカーのレベルの測定を行うためには、各スイッチを（表１）に示す状態から一時的にスイッチＳ１２を開き、テスト信号がＬｃｈスピーカー５のＬＦ端子のみに入力されるようにする。テスト信号発生器９から出力されるテスト信号は、Ｌｃｈスピーカー５のＬＦ端子に入力され、低域スピーカーから音声が出力される。Ｌｃｈスピーカー５から出力される音声は、聴取位置に配置されているマイクロホン１０で収音される。マイクロホン１０で収音された音声は、音声信号としてＣＰＵ１１に送られる。ＣＰＵ１１は、入力される低域の音声信号のレベルを測定する（Ｓ１０３）。
【００４３】
次に、ＣＰＵ１１は、ＲＯＭ１３及びＲＡＭ１０３にプログラムされた自動音場補正用のアルゴリズムに基づいて、高域の音声信号と低域の音声信号とのレベル差を算出する（Ｓ１０４）。
【００４４】
次に、ＣＰＵ１１は、高域の音声信号のレベルと低域の音声信号のレベルとが等しい値になるように補正量を算出し、ゲイン補正回路２ａ及び２ｂを制御して音声信号のゲインを補正する。ここで、高域の音声信号のゲインを補正し、低域の音声信号のレベルに合わせる場合は、ゲイン補正回路２ａの補正量を制御する。また、低域の音声信号のゲインを補正し、高域の音声信号のレベルに合わせる場合は、ゲイン補正回路２ｂの補正量を制御する（Ｓ１０５）。
【００４５】
以上により、Ｌｃｈスピーカー５のレベル補正が完了する。
【００４６】
次に、Ｒｃｈスピーカー６のレベル補正を行う際は、スイッチＳ１７を一時的に開き、スイッチＳ１８を一時的に閉じる。これにより、テスト信号発生器９から出力されるテスト信号は、Ｒｃｈスピーカー６側のみに出力される状態になる。なお、具体的な補正方法については、図３を参照して前述したＬｃｈスピーカー５の補正方法と同様であるため、説明は省略する。
【００４７】
なお、本実施の形態では、Ｌｃｈスピーカー５のレベル補正を行ってから、Ｒｃｈスピーカー６の補正を行う構成としたが、逆順で補正を行う構成としてもよい。
【００４８】
また、本実施の形態では、高域スピーカーのレベル測定を行ってから、低域スピーカーのレベル測定を行う構成としたが、逆順で測定を行う構成としてもよい。
【００４９】
また、本実施の形態では、正弦波の連続的な純粋音から構成されるテスト信号としたが、少なくともスピーカーのレベルを測定することができれば、他の形態のテスト信号であってもよい。
【００５０】
また、テスト信号発生器９で発生させるテスト信号は、１種類（一つの周波数）であってもよいし、異なる周波数の複数種類のテスト信号を順次出力し、テスト信号の種類毎にスピーカーのレベル測定を行う構成としてもよい。
【００５１】
〔２−２．遅延時間補正〕
図４は、スピーカーの遅延時間測定および補正の方法を示す。本実施の形態では、Ｌｃｈスピーカー５の高域スピーカー、低域スピーカー、Ｒｃｈスピーカー６の高域スピーカー、低域スピーカーの順で遅延時間測定を行うものとする。
【００５２】
スピーカーテストが開始されると、テスト信号発生器９は、遅延時間測定用のテスト信号としてインパルス信号（瞬発音）を出力する（Ｓ２０１）。
【００５３】
Ｌｃｈスピーカー５の高域スピーカーの遅延時間の測定を行うためには、各スイッチを（表１）に示す状態から一時的にスイッチＳ３を開き、テスト信号がＬｃｈスピーカー５のＨＦ端子のみに入力されるようにする。テスト信号発生器９から出力されるテスト信号は、Ｌｃｈスピーカー５のＨＦ端子に入力され、高域スピーカーから音声が出力される。Ｌｃｈスピーカー５から出力される音声は、聴取位置に配置されているマイクロホン１０で収音される。マイクロホン１０で収音された音声は、音声信号としてＣＰＵ１１に送られる。ＣＰＵ１１は、入力される高域の音声信号の遅延時間を測定する。具体的には、テスト信号発生器９からテスト信号が出力されてから、マイクロホン１０が高域スピーカーから出力される音声を収音するまでの時間を測定する（Ｓ２０２）。
【００５４】
次に、Ｌｃｈスピーカー５の低域スピーカーの遅延時間の測定を行うためには、各スイッチを（表１）に示す状態から一時的にスイッチＳ１２を開き、テスト信号がＬｃｈスピーカー５のＬＦ端子のみに入力されるようにする。テスト信号発生器９から出力されるテスト信号は、Ｌｃｈスピーカー５のＬＦ端子に入力され、低域スピーカーから音声が出力される。Ｌｃｈスピーカー５から出力される音声は、聴取位置に配置されているマイクロホン１０で収音される。マイクロホン１０で収音された音声は、音声信号としてＣＰＵ１１に送られる。ＣＰＵ１１は、入力される低域の音声信号の遅延時間を測定する。具体的には、テスト信号発生器９からテスト信号が出力されてから、マイクロホン１０が低域スピーカーから出力される音声を収音するまでの時間を測定する（Ｓ２０３）。
【００５５】
次に、ＣＰＵ１１は、ＲＯＭ１３及びＲＡＭ１０３にプログラムされた自動音場補正用のアルゴリズムに基づいて、高域の音声信号と低域の音声信号との遅延時間の差を算出する（Ｓ２０４）。
【００５６】
次に、ＣＰＵ１１は、高域の音声信号のレベルと低域の音声信号のレベルとが等しい値になるように補正量を算出し、遅延回路２ａを制御して高域側の音声信号の位相を遅延させる（Ｓ２０５）。
【００５７】
ここで、高域の音声信号は、低域の音声信号に比べて、発音位置から聴取位置までの音の到達時間が短い（速く到達する）ため、高域の音声信号の位相を遅らせることで、高域の音声信号の到達時間と低域の音声信号の到達時間とを合わせることができる。両者の到達時間を合わせるためには、Ｓ２０４で算出した遅延時間の差分がゼロになるように高域の音声信号の遅延時間（遅延量）を設定する必要がある。
【００５８】
以上により、Ｌｃｈスピーカー５の遅延時間の補正が完了する。
【００５９】
次に、Ｒｃｈスピーカー６の遅延時間の補正を行う際は、スイッチＳ１７を一時的に開き、スイッチＳ１８を一時的に閉じる。これにより、テスト信号発生器９から出力されるテスト信号は、Ｒｃｈスピーカー６側のみに出力される状態になる。なお、具体的な補正方法については、図４を参照して前述したＬｃｈスピーカー５の補正方法と同様であるため、説明は省略する。
【００６０】
なお、本実施の形態では、Ｌｃｈスピーカー５の遅延時間の補正を行ってから、Ｒｃｈスピーカー６の補正を行う構成としたが、逆順で補正を行う構成としてもよい。
【００６１】
また、本実施の形態では、高域スピーカーの遅延時間の測定を行ってから、低域スピーカーの遅延時間の測定を行う構成としたが、逆順で測定を行う構成としてもよい。
【００６２】
また、本実施の形態では、テスト信号をインパルス信号で構成したが、少なくともスピーカーのレベルを測定することができれば、他の形態のテスト信号であってもよい。
【００６３】
また、テスト信号発生器９で発生させるテスト信号は、１種類（一つの周波数）であってもよいし、異なる周波数の複数種類のテスト信号を順次出力し、テスト信号の種類毎にスピーカーの遅延時間測定を行う構成としてもよい。
【００６４】
ここで、ＣＰＵ１１に含まれている自動音場補正回路とは、マルチチャンネルＡＶアンプで搭載されているインパルス信号や正弦波信号を用いて、ＡＶアンプに接続されたノーマルスピーカのレベルや距離や周波数特性をマイク測定を活用して最適化する機能である。この場合、従来聴感上で補正していたＨＦ用のアンプとＬＦ用のアンプのゲインと位相を自動的に最適化でき、更なる音質向上への効果が期待できる。
【００６５】
〔３．実施の形態の効果、他〕
本実施の形態によれば、簡単なスイッチで構成された切換回路と遅延回路とをＡＶアンプ本体に追加するとともに、自動音場補正用マイクシステムを流用してスピーカー補正を行う構成としたことにより、多チャンネル再生用の増幅器を２チャンネルステレオ再生時に有効に用いて、２チャンネルステレオ再生時の音質改善を図ることができる。
【００６６】
なお、上記の説明では、切換手段としてオンまたはオフするスイッチを用いたが、どちらか一方に切り替えるタイプのスイッチ（トランスファータイプ）で構成することで、スイッチの数を減らすことができ、回路規模の縮小、コストダウンなどの効果を得ることができる。
【００６７】
また、本実施の形態では、スピーカーのレベル補正を行ってから遅延時間の補正を行う構成としたが、逆順に補正を行う構成としてもよい。
【産業上の利用可能性】
【００６８】
本発明のバイアンプ補正回路は、多チャンネル再生及び２チャンネルステレオ再生ができるＡＶアンプやレシーバなどの音響装置での音質向上用途にも適用できる。
【図面の簡単な説明】
【００６９】
【図１】実施の形態におけるＡＶアンプのブロック図
【図２】スピーカからの音の到達時間差を説明するための模式図
【図３】スピーカーのレベル補正の手順を示すフローチャート
【図４】スピーカーの遅延時間補正の手順を示すフローチャート
【図５】従来のＡＶアンプのブロック図
【符号の説明】
【００７０】
２ａ，２ｂ，２ｃ，２ｄ  ゲイン補正回路
３ａ，３ｂ  遅延回路
４ａ，４ｂ，４ｃ，４ｄ  増幅器
５  Ｌｃｈスピーカー
６  Ｒｃｈスピーカー
７  Ｃｃｈスピーカー
８  Ｓｃｈスピーカー
９  テスト信号発生器
１０  マイクロホン
１１  ＣＰＵ（中央演算処理装置）
【図１】
2009027631.tif 000004
【図２】
2009027631.tif 000005
【図３】
2009027631.tif 000006
【図４】
2009027631.tif 000007
【図５】
2009027631.tif 000008